(57)【特許請求の範囲】
【請求項１】
コンピュータに、
登録された薬品名群に含まれる薬品名のうち、薬品名の類似度が所定の類似基準を満たす複数の薬品名を特定し、前記複数の薬品名を対応付けた類似薬品情報を作成する処理と、
電子カルテシステムに登録する対象として選択可能に提示した薬品名のうち、選択された薬品名に対応付けられた薬品を使用できない患者の種別が、前記電子カルテシステムにおける患者を識別する情報に対応付けられた患者の種別と一致し、前記類似薬品情報において該薬品名に対応付けられた他の薬品名に対応付けられた薬品を使用できない患者の種別が、前記患者を識別する情報に対応付けられた患者の種別と一致しない場合に、選択された薬品名と類似する他の薬品名が前記薬品名群に登録されている旨を表示し、
選択された薬品名に対応付けられた薬品を使用できない患者の種別が、前記電子カルテシステムにおける患者を識別する情報に対応付けられた患者の種別と一致しない場合、及び前記類似薬品情報において該薬品名に対応付けられた他の薬品名に対応付けられた薬品を使用できない患者の種別が、前記患者を識別する情報に対応付けられた患者の種別と一致する場合は、前記旨を表示しない処理と、
を実行させることを特徴とする電子カルテプログラム。
【請求項２】
前記薬品名群に更に薬品名が追加登録され、追加登録される薬品名が、前記薬品名群に含まれる他の薬品名と前記所定の類似基準を満たす場合に、該追加登録される薬品名と該他の薬品名を対応付けて、前記類似薬品情報に追加する処理、
を実行させることを特徴とする請求項１記載の電子カルテプログラム。
【請求項３】
前記表示する処理は、
前記電子カルテシステムに登録する対象として選択された薬品名が登録された回数と、前記類似薬品情報において該薬品名に対応付けられた他の薬品名が登録された回数との比が所定の閾値以下の場合に、選択された薬品名と類似する他の薬品名が前記薬品名群に登録されている旨を表示する、
ことを特徴とする請求項１または２記載の電子カルテプログラム。
【請求項４】
前記表示する処理は、
前記電子カルテシステムに登録する対象として選択された薬品名に対応付けられた病名または症状が、前記電子カルテシステムにおける患者を識別する情報に対応付けられた病名または症状と一致せず、前記類似薬品情報において該薬品名に対応付けられた他の薬品名に対応付けられた病名または症状が、前記患者を識別する情報に対応付けられた病名または症状と一致する場合に、
選択された薬品名と類似する他の薬品名が前記薬品名群に登録されている旨を表示する、
ことを特徴とする請求項１乃至３のいずれか一項に記載の電子カルテプログラム。
【請求項５】
前記作成する処理は、
前記薬品名群に含まれる薬品名のうち、所定の文字列以外の部分について、類似度が所定の類似基準を満たすか否かを判定し、前記複数の薬品名を特定し、
前記表示する処理は、
前記薬品名群に含まれる薬品名のうち、前記所定の文字列を含む薬品名を、前記電子カルテシステムに登録する対象として選択可能に提示する、
ことを特徴とする請求項１乃至４のいずれか一項に記載の電子カルテプログラム。
【請求項６】
前記作成する処理は、
前記薬品名群に含まれる薬品名のうち、薬品名の画像としての類似度が所定の類似基準を満たす複数の薬品名を特定する、
ことを特徴とする請求項１乃至５のいずれか一項に記載の電子カルテプログラム。
【請求項７】
登録された薬品名群に含まれる薬品名のうち、薬品名の類似度が所定の類似基準を満たす複数の薬品名を特定し、前記複数の薬品名を対応付けた類似薬品情報を作成する作成部と、
電子カルテシステムに登録する対象として選択可能に提示した薬品名のうち、選択された薬品名に対応付けられた薬品を使用できない患者の種別が、前記電子カルテシステムにおける患者を識別する情報に対応付けられた患者の種別と一致し、前記類似薬品情報において該薬品名に対応付けられた他の薬品名に対応付けられた薬品を使用できない患者の種別が、前記患者を識別する情報に対応付けられた患者の種別と一致しない場合に、選択された薬品名と類似する他の薬品名が前記薬品名群に登録されている旨を表示し、
選択された薬品名に対応付けられた薬品を使用できない患者の種別が、前記電子カルテシステムにおける患者を識別する情報に対応付けられた患者の種別と一致しない場合、及び前記類似薬品情報において該薬品名に対応付けられた他の薬品名に対応付けられた薬品を使用できない患者の種別が、前記患者を識別する情報に対応付けられた患者の種別と一致する場合は、前記旨を表示しない表示制御部と、
を備えることを特徴とする電子カルテ装置。
【請求項８】
コンピュータが、
登録された薬品名群に含まれる薬品名のうち、薬品名の類似度が所定の類似基準を満たす複数の薬品名を特定し、前記複数の薬品名を対応付けた類似薬品情報を作成する処理と、
電子カルテシステムに登録する対象として選択可能に提示した薬品名のうち、選択された薬品名に対応付けられた薬品を使用できない患者の種別が、前記電子カルテシステムにおける患者を識別する情報に対応付けられた患者の種別と一致し、前記類似薬品情報において該薬品名に対応付けられた他の薬品名に対応付けられた薬品を使用できない患者の種別が、前記患者を識別する情報に対応付けられた患者の種別と一致しない場合に、選択された薬品名と類似する他の薬品名が前記薬品名群に登録されている旨を表示し、
選択された薬品名に対応付けられた薬品を使用できない患者の種別が、前記電子カルテシステムにおける患者を識別する情報に対応付けられた患者の種別と一致しない場合、及び前記類似薬品情報において該薬品名に対応付けられた他の薬品名に対応付けられた薬品を使用できない患者の種別が、前記患者を識別する情報に対応付けられた患者の種別と一致する場合は、前記旨を表示しない処理と、
を実行することを特徴とする電子カルテ処理方法。
【発明の詳細な説明】
【技術分野】
【０００１】
本発明は、電子カルテプログラム、電子カルテ装置、及び電子カルテ処理方法に関する。
【背景技術】
【０００２】
従来、病院等において、パソコンによりカルテを作成する電子カルテシステムが使用されている。
【０００３】
この電子カルテシステムでは、医師等のユーザが、処方や注射のために使用する薬品のオーダを出す際、薬品名をパソコンの画面上で選択する。この場合、ユーザは、例えば、薬品名の一覧から所望の薬品名を選択する、または薬品名に含まれる文字を入力し、当該文字に基づいて検索された候補の一覧から所望の薬品名を選択する。
【０００４】
ユーザが所望の薬品名を選択する際、名称が類似する他の薬品名を選択してしまう可能性がある。そのため、各薬品名に対し、名称が類似する他の薬品名を予め登録しておき、所望の薬品名が選択された際、当該薬品名と名称が類似する他の薬品名が登録されている場合、ユーザに注意喚起を行う技術が知られている（例えば、特許文献１〜４参照）。
【先行技術文献】
【特許文献】
【０００５】
【特許文献１】特開２００９−０６９９４３号公報
【特許文献２】特開２００６−０２５８３９号公報
【特許文献３】国際公開第２００５−０２２４３２号
【特許文献４】特開２００６−１６３５４１号公報
【発明の概要】
【発明が解決しようとする課題】
【０００６】
しかしながら、従来技術では、例えば薬品名の数が多い場合等において、名称が類似する他の薬品名を予め登録することが困難であり、十分な注意喚起を行えない場合があるという問題があった。
【０００７】
そこで、一側面では、薬品名の類似に基づく薬品の誤発注を防止することを目的とする。
【課題を解決するための手段】
【０００８】
一つの案では、コンピュータに、登録された薬品名群に含まれる薬品名のうち、薬品名の類似度が所定の類似基準を満たす複数の薬品名を特定し、前記複数の薬品名を対応付けた類似薬品情報を作成する処理と、電子カルテシステムに登録する対象として選択可能に提示した薬品名のうち、選択された薬品名に対応付けられた薬品を使用できない患者の種別が、前記電子カルテシステムにおける患者を識別する情報に対応付けられた患者の種別と一致し、前記類似薬品情報において該薬品名に対応付けられた他の薬品名に対応付けられた薬品を使用できない患者の種別が、前記患者を識別する情報に対応付けられた患者の種別と一致しない場合に、選択された薬品名と類似する他の薬品名が前記薬品名群に登録されている旨を表示し、
選択された薬品名に対応付けられた薬品を使用できない患者の種別が、前記電子カルテシステムにおける患者を識別する情報に対応付けられた患者の種別と一致しない場合、及び前記類似薬品情報において該薬品名に対応付けられた他の薬品名に対応付けられた薬品を使用できない患者の種別が、前記患者を識別する情報に対応付けられた患者の種別と一致する場合は、前記旨を表示しない処理と、を実行させる。
【発明の効果】
【０００９】
一側面によれば、薬品名の類似に基づく薬品の誤発注を防止することが可能となる。
【図面の簡単な説明】
【００１０】
【図１】実施形態における電子カルテシステムの構成例を示す図である。
【図２】実施形態における情報端末のハードウェア構成例を示す図である。
【図３】実施形態における情報端末の機能ブロック図である。
【図４】類似薬品名チェックマスタ作成処理の一例を示すフローチャートである。
【図５】薬品マスタのデータの一例を示す図である。
【図６】類似薬品名チェックマスタのデータの一例を示す図である。
【図７】類似薬品名抽出処理の一例を示すフローチャートである。
【図８】類似薬品名抽出処理の他の一例を示すフローチャートである。
【図９】薬品オーダ処理の一例を示すフローチャートである。
【図１０】検索用文字列の入力を受け付ける際の画面表示例である。
【図１１】検索によりヒットした薬品を選択候補として表示する際の画面表示例である。
【図１２】選択候補の中からオーダする薬品を選択する操作を受け付けた際の画面表示例である。
【図１３】類似薬品警告処理が行われた際の画面表示例である。
【図１４】患者データの一例を示す図である。
【図１５】類似薬品警告処理の一例を示すフローチャートである。
【発明を実施するための形態】
【００１１】
以下、図面に基づいて本発明の実施形態を説明する。図１は、本発明の実施形態における電子カルテシステムの構成例を示す図である。図１において、電子カルテシステム１は、情報端末（電子カルテ装置）１０、及びサーバ装置２０を含む。
【００１２】
情報端末１０とサーバ装置２０とは、ＬＡＮ（Local Area Network）やインターネット等の通信回線によって通信可能に接続される。
【００１３】
情報端末１０は、例えば、ＰＣ（Personal Computer）、タブレット型端末、スマートフォン等の端末である。
【００１４】
サーバ装置２０は、情報端末１０にてオーダされた薬品の情報等を管理する。
【００１５】
図２は、実施の形態における情報端末１０のハードウェア構成例を示す図である。図２の情報端末１０は、それぞれバスＢで相互に接続されているドライブ装置１００、補助記憶装置１０２、メモリ装置１０３、ＣＰＵ１０４、インタフェース装置１０５、表示装置１０６、及び入力装置１０７等を有する。 
情報端末１０での処理を実現する電子カルテプログラムは、記録媒体１０１によって提供される。電子カルテプログラムを記録した記録媒体１０１がドライブ装置１００にセットされると、電子カルテプログラムが記録媒体１０１からドライブ装置１００を介して補助記憶装置１０２にインストールされる。但し、電子カルテプログラムのインストールは必ずしも記録媒体１０１より行う必要はなく、ネットワークを介して他のコンピュータよりダウンロードするようにしてもよい。補助記憶装置１０２は、インストールされた電子カルテプログラムを格納すると共に、必要なファイルやデータ等を格納する。 
メモリ装置１０３は、プログラムの起動指示があった場合に、補助記憶装置１０２からプログラムを読み出して格納する。ＣＰＵ１０４は、メモリ装置１０３に格納されたプログラムに従って情報端末１０に係る機能を実現する。インタフェース装置１０５は、ネットワークに接続するためのインタフェースとして用いられる。表示装置１０６はプログラムによるＧＵＩ（Graphical User Interface）等を表示する。入力装置１０７はキーボード及びマウス等、またはタッチパネル及びボタン等で構成され、様々な操作指示を入力させるために用いられる。
【００１６】
なお、記録媒体１０１の一例としては、ＣＤ−ＲＯＭ、ＤＶＤディスク、又はＵＳＢメモリ等の可搬型の記録媒体が挙げられる。また、補助記憶装置１０２の一例としては、ＨＤＤ（Hard Disk Drive）又はフラッシュメモリ等が挙げられる。記録媒体１０１及び補助記憶装置１０２のいずれについても、コンピュータ読み取り可能な記録媒体に相当する。
【００１７】
サーバ装置２０のハードウェア構成は、サーバ用のコンピュータのハードウェア構成であり、図２に示す情報端末１０のハードウェア構成例と同様である。
【００１８】
次に、図３を参照し、情報端末１０の機能構成について説明する。図３は、情報端末１０の機能ブロック図である。情報端末１０は、通信部１１、作成部１３、電子カルテ処理部１４、判定部１５、表示制御部１６、及び管理部１７を有する。これら各部は、情報端末１０にインストールされた１以上のプログラムが、情報端末１０のＣＰＵ１０４に実行させる処理により実現される。
【００１９】
また、情報端末１０は、薬品マスタ記憶部１２１、類似薬品名チェックマスタ記憶部１２２、及び患者データ記憶部１２３を有する。これらの記憶部は、例えば、補助記憶装置１０２等を用いて実現される。なお、情報端末１０は、薬品マスタ記憶部１２１、類似薬品名チェックマスタ記憶部１２２、及び患者データ記憶部１２３に記憶される各データを、例えば情報端末１０の起動時等の際に、サーバ装置２０から取得（ダウンロード）して記憶してもよい。その場合、情報端末１０は、情報端末１０にて当該各データを更新した等の際に、サーバ装置２０に記憶されているデータも合わせて更新してもよい。
【００２０】
通信部１１は、サーバ装置２０等との通信を行う。
【００２１】
作成部１３は、薬品マスタ記憶部１２１に記憶される薬品マスタが新規に登録された際や更新（追加）された際に、薬品マスタに基づいて類似薬品名チェックマスタを作成し、作成した類似薬品名チェックマスタを、類似薬品名チェックマスタ記憶部１２２に記憶する。
【００２２】
電子カルテ処理部１４は、医師等のユーザからの入力操作に基づき、電子カルテを作成したり、処方や注射のために使用する薬品のオーダを受けたりする。
【００２３】
判定部１５は、ユーザから所望の薬品が選択された際に、類似薬品名チェックマスタ等に基づいて、類似薬品名の有無等を判定し警告を行う。
【００２４】
表示制御部１６は、判定部１５の指示に応じ、ユーザに警告（注意喚起）を行うためのメッセージ等の表示を制御する。
【００２５】
管理部１７は、医師や管理者等からの入力操作に基づき、薬品マスタ記憶部１２１に記憶されている薬品マスタ等の更新を行う。
【００２６】
＜類似薬品名チェックマスタ作成＞
次に、図４を参照して、作成部１３による類似薬品名チェックマスタを作成する処理の詳細例について説明する。図４は、類似薬品名チェックマスタ作成処理の一例を示すフローチャートである。
【００２７】
まず、ステップＳ１０１において、作成部１３は、薬品マスタ記憶部１２１に記憶されている薬品マスタが管理部１７により更新されたことを検知する。なお、薬品マスタの更新は、電子カルテシステム１を有する病院等において使用可能な薬品が追加されたり、削除されたりする際に行われる。
【００２８】
ここで、図５を参照し、薬品マスタ記憶部１２１に記憶されている薬品マスタについて説明する。図５は、薬品マスタのデータの一例を示す図である。
【００２９】
薬品マスタには、薬品名、病名（症状）、使用禁止種別が含まれる。薬品名は、薬品の名称である。病名（症状）は、当該薬品の効能がある病名または症状を示す情報である。病名（症状）には、例えば癌、下痢、高熱等がある。使用禁止種別は、当該薬品を原則として使用してはいけない患者の種別を示す情報である。使用禁止種別には、例えば妊婦、授乳婦、アレルギー等がある。
【００３０】
続いて、作成部１３は、薬品マスタに登録されている各薬品名について、類似薬品名抽出処理を行う（ステップＳ１０２）。なお、類似薬品名抽出処理では、薬品マスタに登録されている各薬品名について、当該各薬品名と類似している他の薬品名を薬品マスタから抽出する。
【００３１】
続いて、作成部１３は、各薬品名に対応付けて、ステップＳ１０２で抽出された、当該各薬品名と類似している他の薬品名を類似薬品名チェックマスタに登録し（ステップＳ１０３）、処理を終了する。
【００３２】
ここで、図６を参照し、類似薬品名チェックマスタ記憶部１２２に記憶される類似薬品名チェックマスタについて説明する。図６は、類似薬品名チェックマスタのデータの一例を示す図である。
【００３３】
類似薬品名チェックマスタには、薬品名、類似薬品名、選択回数が含まれる。類似薬品名は、「薬品名」の薬品と名称が類似する他の薬品（類似薬品）の名称である。選択回数は、「薬品名」に係る薬品が選択され、オーダ（注文、発注）された回数である。
【００３４】
＜＜類似薬品名抽出処理＞＞
次に、図７を参照して、図４のステップＳ１０２の詳細な例を説明する。図７は、類似薬品名抽出処理の一例を示すフローチャートである。なお、図７では、薬品マスタに登録されている各薬品名のうちの一の薬品名（対象の薬品名）についての処理を説明する。そのため、作成部１３は、図７の処理を、薬品マスタに登録されている各薬品名に対して行う。
【００３５】
ステップＳ２０１において、作成部１３は、薬品マスタに登録されている一の薬品名以外の各薬品名（以下で「他の薬品名」とも称する。）について、当該一の薬品名との類似度を算出する（ステップＳ２０１）。
【００３６】
ここで、作成部１３は、例えば、文字コードの一致率に基づいて、２つの文字列の間の類似度を算出してもよい。
【００３７】
また、作成部１３は、２つの文字列の間の類似度を、例えば、編集距離に基づいて算出してもよい。この場合、作成部１３は、編集距離が大きい程、低い類似度とする。なお、編集距離は、ステップＳ２０３で抽出した文字列に、挿入・削除・置換を何回すると、ステップＳ２０４で抽出した文字列に一致するかに基づいて算出される。例えば、「サクセゾン100mg」と「サクセン40mg」の場合について説明する。この場合、「サクセゾン100mg」という文字列を、「サクセン40mg」という文字列に一致させるためには、「ゾ」と「1」を削除し、「0」を「4」に変換する必要がある。そのため、２つの文字列の間の編集距離は３となる。
【００３８】
また、作成部１３は、例えばＨＯＧ(Histograms of Oriented Gradients)やＳＩＦＴ（Scale-Invariant Feature Transform）等の、各文字列の画像の類似度に基づいて、２つの文字列の間の類似度を算出してもよい。それにより、一の薬品名と類似薬品名の違いが、例えば「シ」と「ソ」等の外見が似ている文字の場合等に、間違われやすいものを類似であると判定できる。
【００３９】
図７の説明に戻る。
【００４０】
続いて、作成部１３は、算出した類似度が、所定の閾値以上であるか判定する（ステップＳ２０２）。なお、当該所定の閾値は、ユーザ（病院）毎に変更できるようにしてもよい。
【００４１】
算出した類似度が、所定の閾値以上でない場合（ステップＳ２０２でＮＯ）、処理を終了する。
【００４２】
算出した類似度が、所定の閾値以上である場合（ステップＳ２０２でＹＥＳ）、作成部１３は、類似薬品名チェックマスタに、当該一の薬品名に対応付けて、算出した類似度が所定の閾値以上である他の薬品名を、類似薬品名の項目に登録する（ステップＳ２０３）。
【００４３】
＜＜類似薬品名抽出処理の変形例＞＞
次に、図８を参照して、図４のステップＳ１０２の他の詳細な例を説明する。図８は、類似薬品名抽出処理の他の一例を示すフローチャートである。なお、図８では、薬品マスタに登録されている各薬品名のうちの一の薬品名（対象の薬品名）についての処理を説明する。そのため、作成部１３は、図８の処理を、薬品マスタに登録されている各薬品名に対して行う。
【００４４】
ステップＳ２１１において、作成部１３は、一の薬品名から、電子カルテシステム１において薬品を検索するためにユーザから指定される文字列（例えば薬品名の先頭または途中の３文字。以下「検索用文字列」とも称する）を抽出する。
【００４５】
続いて、作成部１３は、薬品マスタに登録されている当該一の薬品名以外の薬品名（以下で「他の薬品名」とも称する。）の中から、検索用文字列により、オーダする薬品名の候補として検索されるものを検索する（ステップＳ２１２）。なお、一致する他の薬品名が複数ある場合は、当該複数の薬品名の各々について以下の処理を行う。
【００４６】
続いて、作成部１３は、当該一の薬品名のうち、検索用文字列以外の部分の文字列（例えば、先頭の３文字が検索のために指定される場合は、４文字目以降の文字列）を抽出する（ステップＳ２１３）。
【００４７】
続いて、作成部１３は、ステップＳ２１３で検索した他の薬品名のうち、検索文字列以外の部分の文字列を抽出する（ステップＳ２１４）。
【００４８】
続いて、作成部１３は、ステップＳ２１３で抽出した文字列と、ステップＳ２１４で抽出した文字列との間の類似度を算出する（ステップＳ２１５）。
【００４９】
ここで、作成部１３は、ステップＳ２１３で抽出した文字列と、ステップＳ２１４で抽出した文字列において、所定の文字数（例えば先頭から８文字目）までの文字列をそれぞれ抽出し、抽出した２つの文字列の間の類似度を算出してもよい。それにより、例えば長い薬品名の場合や、薬品名として用量も含まれる場合等に、間違われやすいものを類似であると判定できる。
【００５０】
続いて、作成部１３は、算出した類似度が、所定の閾値以上であるか判定する（ステップＳ２１６）。なお、当該所定の閾値は、ユーザ（病院）毎に変更できるようにしてもよい。
【００５１】
算出した類似度が、所定の閾値以上でない場合（ステップＳ２１６でＮＯ）、処理を終了する。
【００５２】
算出した類似度が、所定の閾値以上である場合（ステップＳ２１６でＹＥＳ）、作成部１３は、類似薬品名チェックマスタに、当該一の薬品名に対応付けて、算出した類似度が所定の閾値以上である他の薬品名を、類似薬品名の項目に登録する（ステップＳ２１７）。
【００５３】
＜薬品オーダ処理＞
次に、図９を参照し、電子カルテ処理部１４による、ユーザからの処方や注射のために使用する薬品のオーダを受ける薬品オーダ処理の詳細例について説明する。図９は、薬品オーダ処理の一例を示すフローチャートである。
【００５４】
ステップＳ３０１において、電子カルテ処理部１４は、患者に対する電子カルテを作成する画面において、ユーザから、検索用文字列（例えば薬品名の先頭または途中の３文字）の入力を受け付ける。
【００５５】
図１０は、図９のステップＳ３０１で、検索用文字列の入力を受け付ける際の画面表示例である。薬品名を入力する欄５０１に、検索用文字列を入力する。その後、例えばエンターキーの入力を受ける。
【００５６】
続いて、電子カルテ処理部１４は、薬品マスタに登録されている薬品名の中から、当該検索用文字列を含む薬品名を検索する（ステップＳ３０２）。
【００５７】
続いて、電子カルテ処理部１４は、検索によりヒットした薬品名を、選択候補として表示する（ステップＳ３０３）。
【００５８】
図１１は、図９のステップＳ３０３で、検索によりヒットした薬品名を選択候補として表示する際の画面表示例である。例えばリスト５０２に、選択候補の複数の薬品名が表示される。
【００５９】
続いて、電子カルテ処理部１４は、ユーザから、選択候補の中からオーダする薬品名を選択する操作を受け付ける（ステップＳ３０４）。
【００６０】
図１２は、図９のステップＳ３０４で、選択候補の中からオーダする薬品名を選択する操作を受け付けた際の画面表示例である。例えば薬品名を入力する欄５０１に、選択候補の中から選択された薬品名が表示される。
【００６１】
続いて、電子カルテ処理部１４は、選択された薬品名と、現在作成している電子カルテに対応付けられた患者ＩＤを出力し、類似薬品警告処理を判定部１５に実行させる（ステップＳ３０５）。
【００６２】
図１３は、図９のステップＳ３０５で、類似薬品警告処理が行われた際の画面表示例である。例えばポップアップウィンドウに、注意喚起のメッセージを表示する。
【００６３】
続いて、電子カルテ処理部１４は、選択された薬品名に対する決定操作をユーザから受ける（ステップＳ３０６）。
【００６４】
続いて、電子カルテ処理部１４は、類似薬品名チェックマスタにおいて、選択された薬品名に対応付けられた選択回数の値を１つ増加させる（ステップＳ３０７）。
【００６５】
続いて、電子カルテ処理部１４は、選択された薬品名に係る薬品のオーダを、サーバ装置２０に通知し（ステップＳ３０８）、処理を終了する。
【００６６】
＜＜類似薬品警告処理＞＞
次に、図１５を参照し、図９のステップＳ３０５の詳細例について説明する。図１５は、類似薬品警告処理の一例を示すフローチャートである。
【００６７】
まず、判定部１５は、ユーザにより選択された薬品名と、患者ＩＤを、電子カルテ処理部１４から取得する（ステップＳ４０１）。
【００６８】
続いて、判定部１５は、類似薬品名チェックマスタを参照し、選択された薬品名に対応付けられて、類似薬品名が登録されているか判定する（ステップＳ４０２）。
【００６９】
選択された薬品名に対応付けられて、類似薬品名が登録されていない場合（ステップＳ４０２でＮＯ）、処理を終了する。
【００７０】
選択された薬品名に対応付けて、類似薬品名が登録されている場合（ステップＳ４０２でＹＥＳ）、表示制御部１６は、選択された薬品名、及び類似薬品名を含む、注意喚起のメッセージを表示する（ステップＳ４０３）。例えば、『名称が類似する「マイタタン錠5mg」が当院の薬品マスタに登録されておりますが、選択された「マイタリー錠10mg」でよろしいですか？』等のメッセージを表示する。
【００７１】
続いて、判定部１５は、類似薬品名チェックマスタを参照し、選択された薬品名も選択回数と、当該類似薬品名として登録されている薬品名の選択回数とを取得する（ステップＳ４０４）。
【００７２】
続いて、判定部１５は、選択された薬品名の選択回数と、当該類似薬品名の選択回数の比が、所定の閾値（例えば１／１０）以下であるか判定する（ステップＳ４０５）。
【００７３】
選択された薬品名の選択回数と、当該類似薬品名の選択回数の比が、所定の閾値以下でない場合（ステップＳ４０５でＮＯ）、後述するステップＳ４０７の処理に進む。
【００７４】
選択された薬品名の選択回数と、当該類似薬品名の選択回数の比が、所定の閾値以下である場合（ステップＳ４０５でＹＥＳ）、表示制御部１６は、選択された薬品名、選択された薬品名の選択回数、類似薬品名、及び類似薬品名の選択回数を含む、注意喚起のメッセージを表示する（ステップＳ４０６）。例えば、『選択された「マイタリー錠10mg」は、名称が類似する「マイタタン錠5mg」と比較して、オーダされた頻度がかなり低い（５回／５０回）ですが、間違いでなければ確定ボタンを押して下さい。』等のメッセージを表示する。
【００７５】
続いて、判定部１５は、薬品マスタを参照し、選択された薬品名、及び類似薬品名に対応付けられた病名（症状）、及び使用禁止種別をそれぞれ取得する（ステップＳ４０７）。
【００７６】
続いて、判定部１５は、患者データ記憶部１２３に記憶されている患者データを参照し、電子カルテ処理部１４から取得した患者ＩＤに対応付けられた病名（症状）、及び使用禁止種別を取得する（ステップＳ４０８）。
【００７７】
図１４は、患者データ記憶部１２３に記憶されている患者データの一例を示す図である。患者データには、患者ＩＤ、病名（症状）、使用禁止種別が含まれる。患者ＩＤは、患者を識別する情報である。病名（症状）は、図４の薬品マスタのものと同様である。種別は、患者の種別を示す情報である。種別には、例えば妊婦、授乳婦、アレルギー等がある。
【００７８】
続いて、判定部１５は、選択された薬品名に対応付けられた病名（症状）と、患者ＩＤに対応付けられた病名（症状）とが一致するか判定する（ステップＳ４０９）。
【００７９】
選択された薬品名に対応付けられた病名（症状）と、患者ＩＤに対応付けられた病名（症状）とが一致する場合（ステップＳ４０９でＹＥＳ）、後述するステップＳ４１２の処理に進む。
【００８０】
選択された薬品名に対応付けられた病名（症状）と、患者ＩＤに対応付けられた病名（症状）とが一致しない場合（ステップＳ４０９でＮＯ）、判定部１５は、類似薬品名に対応付けられた病名（症状）と、患者ＩＤに対応付けられた病名（症状）とが一致するか判定する（ステップＳ４１０）。
【００８１】
類似薬品名に対応付けられた病名（症状）と、患者ＩＤに対応付けられた病名（症状）とが一致しない場合（ステップＳ４１０でＮＯ）、後述するステップＳ４１２の処理に進む。
【００８２】
類似薬品名に対応付けられた病名（症状）と、患者ＩＤに対応付けられた病名（症状）とが一致する場合（ステップＳ４１０でＹＥＳ）、表示制御部１６は、選択された薬品名、類似薬品名、及び患者ＩＤに対応付けられた病名（症状）と一致する類似薬品名に対応付けられた病名（症状）を含む、注意喚起のメッセージを表示する（ステップＳ４１１）。例えば、『名称が類似する「マイタタン錠5mg」の方は、患者様の病名（症状）に適合していますが、適合しない「マイタリー錠10mg」でよろしいですか？』等のメッセージを表示する。
【００８３】
続いて、判定部１５は、選択された薬品名の使用禁止種別と、患者ＩＤに対応付けられた種別とが一致するか判定する（ステップＳ４１２）。
【００８４】
選択された薬品名に対応付けられた使用禁止種別と、患者ＩＤに対応付けられた種別とが一致しない場合（ステップＳ４１２でＮＯ）、処理を終了する。
【００８５】
選択された薬品名に対応付けられた使用禁止種別と、患者ＩＤに対応付けられた種別とが一致する場合（ステップＳ４１２でＹＥＳ）、判定部１５は、類似薬品名に対応付けられた使用禁止種別と、患者ＩＤに対応付けられた種別とが一致するか判定する（ステップＳ４１３）。
【００８６】
類似薬品名に対応付けられた使用禁止種別と、患者ＩＤに対応付けられた種別とが一致する場合（ステップＳ４１３でＹＥＳ）、処理を終了する。
【００８７】
類似薬品名に対応付けられた使用禁止種別と、患者ＩＤに対応付けられた種別とが一致しない場合（ステップＳ４１３でＮＯ）、表示制御部１６は、選択された薬品名、類似薬品名、及び患者ＩＤに対応付けられた種別と一致する類似薬品名に対応付けられた使用禁止種別を含む、注意喚起のメッセージを表示する（ステップＳ４１４）。例えば、『名称が類似する「マイタタン錠5mg」の方は、患者様の種別（妊婦に使用可）に適合していますが、適合しない「マイタリー錠10mg」でよろしいですか？』等のメッセージを表示する。
【００８８】
＜変形例＞
図１５のステップＳ４０５にて、薬品名を選択した医師（ユーザ）の属性に応じて、選択された薬品名の選択回数と、当該類似薬品名の選択回数とに基づき、警告を行うかを判定してもよい。その場合例えば、次のような処理を行うようにしてもよい。医師が薬品をオーダした際、類似薬品名チェックマスタに、当該医師の属性（例えば内科や外科）毎に、選択回数を記憶する。そして、図１５のステップＳ４０５にて、当該医師の属性毎の、選択された薬品名の選択回数、及び類似薬品名の選択回数に基づき、警告を行うかを判定する。
【００８９】
薬品の成分同士の相互作用チェックに基づいて、注意喚起のメッセージを表示するようにしてもよい。その場合、例えば、次のような処理を行うようにしてもよい。今回の診療にて、既にオーダ（選択）している他の薬品がある場合、ユーザが選択した薬品名に係る薬品の成分と、既にオーダしている他の薬品の成分との相互作用チェックを行い、同時に使用可能であるか否か判定する。同時に使用可能でない場合、ユーザが選択した薬品名の類似薬品名に係る薬品の成分と、既にオーダしている他の薬品の成分との相互作用チェックを行い、同時に使用可能であるか否か判定する。同時に使用可能である場合、選択した薬品は相互作用チェックで不適合、類似薬品は相互作用チェックで適合する旨の注意喚起のメッセージを表示する。
【００９０】
作成部１３は、予め類似薬品名チェックマスタを作成する代わりに、例えば図９のステップＳ３０４で選択候補の中からオーダする薬品名を選択する操作を受け付けた際に、当該薬品の類似薬品を抽出し、類似薬品名チェックマスタに記憶してもよい。
【００９１】
類似薬品名チェックマスタにおいて、所定の強調表示を行う薬品名を予め設定しておき、図９のステップＳ３０４で、当該薬品名が選択された場合、表示制御部１６が所定の協調表示を行う構成としてもよい。それにより、例えば、劇薬等の危険度が高い薬品名や、特に間違われやすい薬品名について、赤字や太字で表示することができる。
【００９２】
＜まとめ＞
従来技術では、例えば薬品名の数が多い場合等において、名称が類似する他の薬品名を予め登録することが困難であり、十分な注意喚起を行えない場合があるという問題があった。
【００９３】
上述した実施形態によれば、名称が類似する他の薬品名を自動で登録することにより、名称が類似する他の薬品を誤ってオーダしないような注意喚起を行うことができる。また、オーダするために選択された薬品名や、それに名称が類似する薬品名等に応じた注意喚起を行うことができる。それにより、単に妊婦等に処方できない旨を表示する場合と比較して、選択した薬品名に間違いがあることを気付かせることができる。
【００９４】
以上、本発明の実施例について詳述したが、本発明は斯かる特定の実施形態に限定されるものではなく、特許請求の範囲に記載された本発明の要旨の範囲内において、種々の変形・変更が可能である。
【００９５】
情報端末１０の各機能部は、例えば１以上のコンピュータにより構成されるクラウドコンピューティングにより実現されていてもよい。
【００９６】
以上の説明に関し、更に以下の項を開示する。
（付記１）
コンピュータに、
登録された薬品名群に含まれる薬品名のうち、薬品名の類似度が所定の類似基準を満たす複数の薬品名を特定し、前記複数の薬品名を対応付けた類似薬品情報を作成する処理と、
電子カルテシステムに登録する対象として選択可能に提示した薬品名のうち、選択された薬品名が前記類似薬品情報に登録された前記複数の薬品名のいずれかに一致する場合に、選択された薬品名と類似する他の薬品名が前記薬品名群に登録されている旨を表示する処理と、
を実行させることを特徴とする電子カルテプログラム。
（付記２）
前記薬品名群に更に薬品名が追加登録され、追加登録される薬品名が、前記薬品名群に含まれる他の薬品名と前記所定の類似基準を満たす場合に、該追加登録される薬品名と該他の薬品名を対応付けて、前記類似薬品情報に追加する処理、
を実行させることを特徴とする付記１記載の電子カルテプログラム。
（付記３）
前記表示する処理は、
前記電子カルテシステムに登録する対象として選択された薬品名が登録された回数と、前記類似薬品情報において該薬品名に対応付けられた他の薬品名が登録された回数との比が所定の閾値以下の場合に、選択された薬品名と類似する他の薬品名が前記薬品名群に登録されている旨を表示する、
ことを特徴とする付記１または２記載の電子カルテプログラム。
（付記４）
前記表示する処理は、
前記電子カルテシステムに登録する対象として選択された薬品名に対応付けられた病名または症状が、前記電子カルテシステムにおける患者を識別する情報に対応付けられた病名または症状と一致せず、前記類似薬品情報において該薬品名に対応付けられた他の薬品名に対応付けられた病名または症状が、前記患者を識別する情報に対応付けられた病名または症状と一致する場合に、
選択された薬品名と類似する他の薬品名が前記薬品名群に登録されている旨を表示する、
ことを特徴とする付記１乃至３のいずれか一項に記載の電子カルテプログラム。
（付記５）
前記表示する処理は、
前記電子カルテシステムに登録する対象として選択された薬品名に対応付けられた薬品を使用できない患者の種別が、前記電子カルテシステムにおける患者を識別する情報に対応付けられた患者の種別と一致せず、前記類似薬品情報において該薬品名に対応付けられた他の薬品名に対応付けられた薬品を使用できない患者の種別が、前記患者を識別する情報に対応付けられた患者の種別と一致する場合に、
選択された薬品名と類似する他の薬品名が前記薬品名群に登録されている旨を表示する、
ことを特徴とする付記１乃至４のいずれか一項に記載の電子カルテプログラム。
（付記６）
前記作成する処理は、
前記薬品名群に含まれる薬品名のうち、所定の文字列以外の部分について、類似度が所定の類似基準を満たすか否かを判定し、前記複数の薬品名を特定し、
前記表示する処理は、
前記薬品名群に含まれる薬品名のうち、前記所定の文字列を含む薬品名を、前記電子カルテシステムに登録する対象として選択可能に提示する、
ことを特徴とする付記１乃至５のいずれか一項に記載の電子カルテプログラム。
（付記７）
前記作成する処理は、
前記薬品名群に含まれる薬品名のうち、薬品名の画像としての類似度が所定の類似基準を満たす複数の薬品名を特定する、
ことを特徴とする付記１乃至６のいずれか一項に記載の電子カルテプログラム。
（付記８）
登録された薬品名群に含まれる薬品名のうち、薬品名の類似度が所定の類似基準を満たす複数の薬品名を特定し、前記複数の薬品名を対応付けた類似薬品情報を作成する作成部と、
電子カルテシステムに登録する対象として選択可能に提示した薬品名のうち、選択された薬品名が前記類似薬品情報に登録された前記複数の薬品名のいずれかに一致する場合に、選択された薬品名と類似する他の薬品名が前記薬品名群に登録されている旨を表示する表示制御部と、
を備えることを特徴とする電子カルテ装置。
（付記９）
前記作成部は、
前記薬品名群に更に薬品名が追加登録され、追加登録される薬品名が、前記薬品名群に含まれる他の薬品名と前記所定の類似基準を満たす場合に、該追加登録される薬品名と該他の薬品名を対応付けて、前記類似薬品情報に追加する、
ことを特徴とする付記８記載の電子カルテ装置。
（付記１０）
前記表示制御部は、
前記電子カルテシステムに登録する対象として選択された薬品名が登録された回数と、前記類似薬品情報において該薬品名に対応付けられた他の薬品名が登録された回数との比が所定の閾値以下の場合に、選択された薬品名と類似する他の薬品名が前記薬品名群に登録されている旨を表示する、
ことを特徴とする付記８または９記載の電子カルテ装置。
（付記１１）
前記表示制御部は、
前記電子カルテシステムに登録する対象として選択された薬品名に対応付けられた病名または症状が、前記電子カルテシステムにおける患者を識別する情報に対応付けられた病名または症状と一致せず、前記類似薬品情報において該薬品名に対応付けられた他の薬品名に対応付けられた病名または症状が、前記患者を識別する情報に対応付けられた病名または症状と一致する場合に、
選択された薬品名と類似する他の薬品名が前記薬品名群に登録されている旨を表示する、
ことを特徴とする付記８乃至１０のいずれか一項に記載の電子カルテ装置。
（付記１２）
前記表示制御部は、
前記電子カルテシステムに登録する対象として選択された薬品名に対応付けられた薬品を使用できない患者の種別が、前記電子カルテシステムにおける患者を識別する情報に対応付けられた患者の種別と一致せず、前記類似薬品情報において該薬品名に対応付けられた他の薬品名に対応付けられた薬品を使用できない患者の種別が、前記患者を識別する情報に対応付けられた患者の種別と一致する場合に、
選択された薬品名と類似する他の薬品名が前記薬品名群に登録されている旨を表示する、
ことを特徴とする付記８乃至１１のいずれか一項に記載の電子カルテ装置。
（付記１３）
前記作成部は、
前記薬品名群に含まれる薬品名のうち、所定の文字列以外の部分について、類似度が所定の類似基準を満たすか否かを判定し、前記複数の薬品名を特定し、
前記表示する処理は、
前記薬品名群に含まれる薬品名のうち、前記所定の文字列を含む薬品名を、前記電子カルテシステムに登録する対象として選択可能に提示する、
ことを特徴とする付記８乃至１２のいずれか一項に記載の電子カルテ装置。
（付記１４）
前記作成部は、
前記薬品名群に含まれる薬品名のうち、薬品名の画像としての類似度が所定の類似基準を満たす複数の薬品名を特定する、
ことを特徴とする付記８乃至１３のいずれか一項に記載の電子カルテ装置。
（付記１５）
電子カルテ装置が、
登録された薬品名群に含まれる薬品名のうち、薬品名の類似度が所定の類似基準を満たす複数の薬品名を特定し、前記複数の薬品名を対応付けた類似薬品情報を作成する処理と、
電子カルテシステムに登録する対象として選択可能に提示した薬品名のうち、選択された薬品名が前記類似薬品情報に登録された前記複数の薬品名のいずれかに一致する場合に、選択された薬品名と類似する他の薬品名が前記薬品名群に登録されている旨を表示する処理と、
を実行することを特徴とする電子カルテ処理方法。
（付記１６）
前記薬品名群に更に薬品名が追加登録され、追加登録される薬品名が、前記薬品名群に含まれる他の薬品名と前記所定の類似基準を満たす場合に、該追加登録される薬品名と該他の薬品名を対応付けて、前記類似薬品情報に追加する処理、
を実行させることを特徴とする付記１５記載の電子カルテ処理方法。
（付記１７）
前記表示する処理は、
前記電子カルテシステムに登録する対象として選択された薬品名が登録された回数と、前記類似薬品情報において該薬品名に対応付けられた他の薬品名が登録された回数との比が所定の閾値以下の場合に、選択された薬品名と類似する他の薬品名が前記薬品名群に登録されている旨を表示する、
ことを特徴とする付記１５または１６記載の電子カルテ処理方法。
（付記１８）
前記表示する処理は、
前記電子カルテシステムに登録する対象として選択された薬品名に対応付けられた病名または症状が、前記電子カルテシステムにおける患者を識別する情報に対応付けられた病名または症状と一致せず、前記類似薬品情報において該薬品名に対応付けられた他の薬品名に対応付けられた病名または症状が、前記患者を識別する情報に対応付けられた病名または症状と一致する場合に、
選択された薬品名と類似する他の薬品名が前記薬品名群に登録されている旨を表示する、
ことを特徴とする付記１５乃至１７のいずれか一項に記載の電子カルテ処理方法。
（付記１９）
前記表示する処理は、
前記電子カルテシステムに登録する対象として選択された薬品名に対応付けられた薬品を使用できない患者の種別が、前記電子カルテシステムにおける患者を識別する情報に対応付けられた患者の種別と一致せず、前記類似薬品情報において該薬品名に対応付けられた他の薬品名に対応付けられた薬品を使用できない患者の種別が、前記患者を識別する情報に対応付けられた患者の種別と一致する場合に、
選択された薬品名と類似する他の薬品名が前記薬品名群に登録されている旨を表示する、
ことを特徴とする付記１５乃至１８のいずれか一項に記載の電子カルテ処理方法。
（付記２０）
前記作成する処理は、
前記薬品名群に含まれる薬品名のうち、所定の文字列以外の部分について、類似度が所定の類似基準を満たすか否かを判定し、前記複数の薬品名を特定し、
前記表示する処理は、
前記薬品名群に含まれる薬品名のうち、前記所定の文字列を含む薬品名を、前記電子カルテシステムに登録する対象として選択可能に提示する、
ことを特徴とする付記１５乃至１９のいずれか一項に記載の電子カルテ処理方法。
（付記２１）
前記作成する処理は、
前記薬品名群に含まれる薬品名のうち、薬品名の画像としての類似度が所定の類似基準を満たす複数の薬品名を特定する、
ことを特徴とする付記１５乃至２０のいずれか一項に記載の電子カルテ処理方法。
【符号の説明】
【００９７】
１０  情報端末
１１  通信部
１２１  薬品マスタ記憶部
１２２  類似薬品名チェックマスタ記憶部
１２３  患者データ記憶部
１３  作成部
１４  電子カルテ処理部
１５  判定部
１６  表示制御部
２０  サーバ装置
【図１】
0006607091.tif 000002
【図２】
0006607091.tif 000003
【図３】
0006607091.tif 000004
【図４】
0006607091.tif 000005
【図５】
0006607091.tif 000006
【図６】
0006607091.tif 000007
【図７】
0006607091.tif 000008
【図８】
0006607091.tif 000009
【図９】
0006607091.tif 000010
【図１０】
0006607091.tif 000011
【図１１】
0006607091.tif 000012
【図１２】
0006607091.tif 000013
【図１３】
0006607091.tif 000014
【図１４】
0006607091.tif 000015
【図１５】
0006607091.tif 000016